(57)【要約】【課題】シーン毎に異なるコピー制限情報が設定された番組をダビングすると、ユーザの意図するダビング結果が得られないケースが出てくる。【解決手段】ダビング選択手段により選択された番組を構成するシーンのうちの少なくとも１つのシーンコピー制限情報がコピーできない内容を示すか否かを判断するコピー制限判定手段と、コピー制限判定手段により選択された番組を構成するシーンのうちの少なくとも１つのシーンコピー制限情報がコピーできない内容を示すと判定された場合、ダビング選択手段により選択された番組を構成するシーンにコピー制限がある旨のメッセージを生成するメッセージ生成手段とを備え、生成したメッセージを表示するための信号を出力するように構成した。【選択図】図１
2007213668.tif 000002
【特許請求の範囲】
【請求項１】
記録媒体に記録した番組であって、各シーンのコピー制限を示すシーンコピー制限情報を有するシーン情報が設定された番組を前記シーンコピー制限情報に従って別の記録媒体にダビングするダビング装置であって、
前記記録媒体に記録した番組を選択し、前記別の記録媒体へダビングするよう指示するダビング選択手段と、
前記ダビング選択手段にて選択された番組を前記シーンコピー制限情報に従って前記別の記録媒体へダビングするダビング手段と、
前記ダビング選択手段にて選択された番組の各シーンにシーンコピー制限情報が設定されているかどうかを判定するコピー制限判定手段と、
前記コピー制限判定手段にて前記選択された番組の各シーンにシーンコピー制限情報が設定されていると判定された場合、前記選択された番組の各シーンにシーンコピー制限情報が設定されている旨のメッセージを生成するメッセージ生成手段とを備え、
前記生成したメッセージを表示するための信号を出力するように構成したダビング装置。
【請求項２】
前記コピー制限判定手段は、前記ダビング選択手段により選択された番組を構成するシーンのうちの少なくとも１つのシーンコピー制限情報がコピーできない内容を示すか否かを判断し、
前記メッセージ生成手段は、前記コピー制限判定手段により選択された番組を構成するシーンのうちの少なくとも１つのシーンコピー制限情報がコピー禁止または前記シーンのコピー許可回数が０でありコピーできない内容を示すと判定された場合、前記ダビング選択手段により選択された番組を構成するシーンにコピー制限がある旨のメッセージを生成するように構成した請求項１記載のダビング装置。
【請求項３】
前記番組に対応するシーン情報は、前記番組を構成する各シーンのシーン開始位置情報とシーン終了位置情報を更に含み、
前記記録媒体に記録した番組を構成する各シーンのサムネイル画像を前記各シーンのシーン開始位置情報とシーン終了位置情報によって決められる映像の中から生成するサムネイル生成手段を更に備え、
前記サムネイル生成手段によって生成した前記各シーンのサムネイル画像と前記各シーンのシーンコピー制限情報とを表示するための信号を出力するように構成した請求項１または２記載のダビング装置。
【請求項４】
前記記録媒体に記録された番組に含まれる映像を用いてサムネイル画像を生成するサムネイル生成手段を備え、
前記サムネイル生成手段で生成した前記記録媒体に記録された番組のサムネイル画像を表示するための信号を出力するように構成したことを特徴とする請求項１記載のダビング装置。
【請求項５】
前記ダビング選択手段により選択される前の番組のシーン情報において、前記番組を構成するシーンのシーンコピー制限情報が１回以上のコピー許可回数を示すものである場合、
前記ダビング選択手段にて前記番組を選択し、前記ダビング手段により前記別の記録媒体へダビングがなされると、前記記録媒体に記録された番組を構成するシーンのシーンコピー制限情報のコピー許可回数を１減じた値に書き換えるよう構成した請求項１記載のダビング装置。
【請求項６】
記録媒体に記録した番組であって、各シーンのコピー制限を示すシーンコピー制限情報を有するシーン情報が設定された番組を前記シーンコピー制限情報に従って別の記録媒体にダビングする録画再生装置であって、
前記各シーンのシーン開始位置情報とシーン終了位置情報とシーンコピー制限情報を有するシーン情報と前記番組を構成する各シーンを放送波から取り出して前記記録媒体に録画する録画手段と、
前記記録媒体に記録した番組を選択し、前記別の記録媒体へダビングするよう指示するダビング選択手段と、
前記ダビング選択手段にて選択された番組を前記シーンコピー制限情報に従って前記別の記録媒体へダビングするダビング手段と、
前記ダビング選択手段にて選択された番組の各シーンにシーンコピー制限情報が設定されているかどうかを判定するコピー制限判定手段と、
前記コピー制限判定手段にて前記選択された番組の各シーンにシーンコピー制限情報が設定されていると判定された場合、前記選択された番組の各シーンにシーンコピー制限情報が設定されている旨のメッセージを生成するメッセージ生成手段とを備え、
前記生成したメッセージを表示するための信号を出力するように構成した録画再生装置。
【請求項７】
記録媒体に記録した番組であって、各シーンのコピー制限を示すシーンコピー制限情報を有するシーン情報が設定された番組を前記シーンコピー制限情報に従って別の記録媒体にダビングするダビング方法であって、
前記記録媒体に記録した番組を選択し、前記別の記録媒体へダビングするよう指示するダビング選択ステップと、
前記ダビング選択ステップにて選択された番組を前記シーンコピー制限情報に従って前記別の記録媒体へダビングするダビングステップと、
前記ダビング選択ステップにて選択された番組の各シーンにシーンコピー制限情報が設定されているかどうかを判定するコピー制限判定ステップと、
前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、
前記生成したメッセージを表示するための信号を出力するステップを備えたダビング方法。
【請求項８】
記録媒体に記録した番組であって、各シーンのコピー制限を示すシーンコピー制限情報を有するシーン情報が設定された番組を前記シーンコピー制限情報に従って別の記録媒体にダビングするダビングプログラムであって、
前記記録媒体に記録した番組を選択し、前記別の記録媒体へダビングするよう指示するダビング選択ステップと、
前記ダビング選択ステップにて選択された番組を前記シーンコピー制限情報に従って前記別の記録媒体へダビングするダビングステップと、
前記ダビング選択ステップにて選択された番組の各シーンにシーンコピー制限情報が設定されているかどうかを判定するコピー制限判定ステップと、
前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、
前記生成したメッセージを表示するための信号を出力するステップをコンピュータに実行させるダビングプログラム。
【請求項９】
記録媒体に記録した番組であって、各シーンのコピー制限を示すシーンコピー制限情報を有するシーン情報が設定された番組を前記シーンコピー制限情報に従って別の記録媒体にダビングするダビングプログラムを格納するコンピュータ読み取り可能な記録媒体であって、
前記ダビングプログラムは、
前記記録媒体に記録した番組を選択し、前記別の記録媒体へダビングするよう指示するダビング選択ステップと、
前記ダビング選択ステップにて選択された番組を前記シーンコピー制限情報に従って前記別の記録媒体へダビングするダビングステップと、
前記ダビング選択ステップにて選択された番組の各シーンにシーンコピー制限情報が設定されているかどうかを判定するコピー制限判定ステップと、
前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、
前記生成したメッセージを表示するための信号を出力するステップを備えることを特徴とするダビングプログラムを格納するコンピュータ読み取り可能な記録媒体。
【発明の詳細な説明】
【技術分野】
【０００１】
本発明は、保護情報を伴うコンテンツを保護情報に示された情報に従って、記録媒体へダビングする録画再生装置に関するものである。特に、録画されたコンテンツ内において、種々のコピー制限が設定された場合、この種々に設定されたコピー制限に従って記録媒体へダビングを行うダビング装置、ダビング方法、ダビングプログラム、ダビングプログラムを記録した記録媒体、およびダビング装置を有する記録再生装置に関するものである。
【背景技術】
【０００２】
近年、情報記録再生を実行する装置として、ランダムアクセス性に優れたＤＶＲ（デジタルビデオレコーダー）、主にＨＤＤ（ハードディスクドライブ）レコーダやＤＶＤ（デジタル多用途ディスク）レコーダが普及し、市場を獲得している。その中で、デジタルコンテンツの利用にあたっては、放送波中の各コンテンツにコピー制限情報を持たせ、情報記録再生を実行する装置のコピープロテクション機能により各コンテンツに付随するコピー制限情報に従ったコピーを実施することにより、ビデオコンテンツの著作権者の権利を保護している。現在定義されているコピー制限情報としては、記録媒体への記録自体を禁止するコピー禁止、記録媒体へ記録した後でもコピー可能なコピーフリー、記録媒体へ１度記録した後にコピー禁止となる１回コピー許可がある。また、これらコピー規制のかかったコンテンツの情報をユーザに提示するための様々な方法が考えられている。
【０００３】
デジタルコンテンツのコピー制限情報の管理方法、ユーザへの提示方法についての先行技術には、以下の特許文献１に記載されたものがある。
【特許文献１】特開２００３−２２６１０号公報
【発明の開示】
【発明が解決しようとする課題】
【０００４】
しかしながら、現行のデジタル放送では１回コピー許可のコピー制限情報を有するコンテンツが大半を占めている。例えば、１回コピー許可のコンテンツを一旦記録再生装置へ記録した場合、この記録したコンテンツを別の記録媒体へ再度コピーすることが不可能となり、移動のみが可能となる。具体的には、１回コピー許可のコピー制限情報を有するコンテンツを記録再生装置のＨＤＤへ一旦コピーした場合、このＨＤＤにコピーしたコンテンツを別の記録再生装置のＨＤＤ、光記録媒体（例えばＤＶＤなど）、ビデオテープまたは半導体メモリといった別の記録媒体へコピーしたりすることはできなくなるものの、ＨＤＤ内にコピーしたコンテンツを別の記録媒体へ移動することのみが可能となる。
コンテンツの移動は、コンテンツを移動先の記録媒体へコピーし、コピー元のデータ（つまり移動元の記録媒体にコピーされたコンテンツ）を消去する処理となっているため、停電などでコンテンツの移動処理が中断した場合、コピー元、コピー先の両コンテンツともに視聴できなくなるなどの問題が発生している。この対策として、コピー規制を緩和する方針が出ている。このため、今後コピー制限情報の増加やコンテンツ内での場面単位のコピー規制の実行が考慮される。
【０００５】
ところが、現在市場に出ている情報記録再生を実行する装置は、コンテンツごとのコピー規制を行っており、コンテンツごとにユーザへのコピー制限情報の提示を行っている。また、記録したコピー制限が異なるコンテンツを複数コピー実行する場合は、一番厳しい制限、現行ではコピー禁止の判断が行われ、コピー可能なコンテンツも移動処理が行われることとなる。この場合、前述のように移動元、移動先ともにコンテンツの視聴不可能となるため、今後想定される様々なコピー制限情報が一つのコンテンツに複数付加された場合には、コピー可能部分のみコピーを実行可能となる可能性がある。
しかしながら、この場合、前記従来の構成では、ユーザにコピー制限情報を明確に提示することが出来ない。
【０００６】
本発明は、種々のコピー制限情報が複数設定されたコンテンツをコピーする場合、ユーザにあらかじめコピー禁止部分が抜けることを通知し、コンテンツのコピー可能な部分のみをコピーを行うことが可能なダビング装置、ダビング方法、ダビングプログラム、ダビングプログラムを記録する記録媒体およびダビング装置を有する録画再生装置を得ることを目的とする。
【課題を解決するための手段】
【０００７】
本発明のダビング装置は、記録媒体に記録した番組であって、各シーンのコピー制限を示すシーンコピー制限情報を有するシーン情報が設定された番組を前記シーンコピー制限情報に従って別の記録媒体にダビングするダビング装置であって、前記記録媒体に記録した番組を選択し、前記別の記録媒体へダビングするよう指示するダビング選択手段と、前記ダビング選択手段にて選択された番組を前記シーンコピー制限情報に従って前記別の記録媒体へダビングするダビング手段と、前記ダビング選択手段にて選択された番組の各シーンにシーンコピー制限情報が設定されているかどうかを判定するコピー制限判定手段と、前記コピー制限判定手段にて前記選択された番組の各シーンにシーンコピー制限情報が設定されていると判定された場合、前記選択された番組の各シーンにシーンコピー制限情報が設定されている旨のメッセージを生成するメッセージ生成手段とを備え、前記生成したメッセージを表示するための信号を出力するように構成したものである。
【０００８】
また、前記コピー制限判定手段は、前記ダビング選択手段により選択された番組を構成するシーンのうちの少なくとも１つのシーンコピー制限情報がコピーできない内容を示すか否かを判断し、前記メッセージ生成手段は、前記コピー制限判定手段により選択された番組を構成するシーンのうちの少なくとも１つのシーンコピー制限情報がコピー禁止または前記シーンのコピー許可回数が０でありコピーできない内容を示すと判定された場合、前記ダビング選択手段により選択された番組を構成するシーンにコピー制限がある旨のメッセージを生成するように構成したものである。
【０００９】
また、前記番組に対応するシーン情報は、前記番組を構成する各シーンのシーン開始位置情報とシーン終了位置情報を更に含み、前記記録媒体に記録した番組を構成する各シーンのサムネイル画像を前記各シーンのシーン開始位置情報とシーン終了位置情報によって決められる映像の中から生成するサムネイル生成手段を更に備え、前記サムネイル生成手段によって生成した前記各シーンのサムネイル画像と前記各シーンのシーンコピー制限情報とを表示するための信号を出力するように構成したものである。
【００１０】
また、前記記録媒体に記録された番組に含まれる映像を用いてサムネイル画像を生成するサムネイル生成手段を備え、前記サムネイル生成手段で生成した前記記録媒体に記録された番組のサムネイル画像を表示するための信号を出力するように構成したことを特徴とするものである。
【００１１】
また、前記ダビング選択手段により選択される前の番組のシーン情報において、前記番組を構成するシーンのシーンコピー制限情報が１回以上のコピー許可回数を示すものである場合、前記ダビング選択手段にて前記番組を選択し、前記ダビング手段により前記別の記録媒体へダビングがなされると、前記記録媒体に記録された番組を構成するシーンのシーンコピー制限情報のコピー許可回数を１減じた値に書き換えるよう構成したものである。
【００１２】
本発明の録画再生装置は、記録媒体に記録した番組であって、各シーンのコピー制限を示すシーンコピー制限情報を有するシーン情報が設定された番組を前記シーンコピー制限情報に従って別の記録媒体にダビングする録画再生装置であって、前記各シーンのシーン開始位置情報とシーン終了位置情報とシーンコピー制限情報を有するシーン情報と前記番組を構成する各シーンを放送波から取り出して前記記録媒体に録画する録画手段と、前記記録媒体に記録した番組を選択し、前記別の記録媒体へダビングするよう指示するダビング選択手段と、前記ダビング選択手段にて選択された番組を前記シーンコピー制限情報に従って前記別の記録媒体へダビングするダビング手段と、前記ダビング選択手段にて選択された番組の各シーンにシーンコピー制限情報が設定されているかどうかを判定するコピー制限判定手段と、前記コピー制限判定手段にて前記選択された番組の各シーンにシーンコピー制限情報が設定されていると判定された場合、前記選択された番組の各シーンにシーンコピー制限情報が設定されている旨のメッセージを生成するメッセージ生成手段とを備え、前記生成したメッセージを表示するための信号を出力するように構成したものである。
【００１３】
本発明のダビング方法は、記録媒体に記録した番組であって、各シーンのコピー制限を示すシーンコピー制限情報を有するシーン情報が設定された番組を前記シーンコピー制限情報に従って別の記録媒体にダビングするダビング方法であって、前記記録媒体に記録した番組を選択し、前記別の記録媒体へダビングするよう指示するダビング選択ステップと、前記ダビング選択ステップにて選択された番組を前記シーンコピー制限情報に従って前記別の記録媒体へダビングするダビングステップと、前記ダビング選択ステップにて選択された番組の各シーンにシーンコピー制限情報が設定されているかどうかを判定するコピー制限判定ステップと、前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、前記生成したメッセージを表示するための信号を出力するステップを備える。
【００１４】
本発明のダビングプログラムは、記録媒体に記録した番組であって、各シーンのコピー制限を示すシーンコピー制限情報を有するシーン情報が設定された番組を前記シーンコピー制限情報に従って別の記録媒体にダビングするダビングプログラムであって、前記記録媒体に記録した番組を選択し、前記別の記録媒体へダビングするよう指示するダビング選択ステップと、前記ダビング選択ステップにて選択された番組を前記シーンコピー制限情報に従って前記別の記録媒体へダビングするダビングステップと、前記ダビング選択ステップにて選択された番組の各シーンにシーンコピー制限情報が設定されているかどうかを判定するコピー制限判定ステップと、前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、前記生成したメッセージを表示するための信号を出力するステップをコンピュータに実行させるものである。
【００１５】
本発明のコンピュータ読み取り可能な記録媒体は、記録媒体に記録した番組であって、各シーンのコピー制限を示すシーンコピー制限情報を有するシーン情報が設定された番組を前記シーンコピー制限情報に従って別の記録媒体にダビングするダビングプログラムを格納するコンピュータ読み取り可能な記録媒体であって、前記ダビングプログラムは、前記記録媒体に記録した番組を選択し、前記別の記録媒体へダビングするよう指示するダビング選択ステップと、前記ダビング選択ステップにて選択された番組を前記シーンコピー制限情報に従って前記別の記録媒体へダビングするダビングステップと、前記ダビング選択ステップにて選択された番組の各シーンにシーンコピー制限情報が設定されているかどうかを判定するコピー制限判定ステップと、前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、前記生成したメッセージを表示するための信号を出力するステップを備えることを特徴とするダビングプログラムを格納する。
【発明の効果】
【００１６】
本発明のダビング装置は、記録媒体に記録した番組であって、各シーンのコピー制限を示すシーンコピー制限情報を有するシーン情報が設定された番組を前記シーンコピー制限情報に従って別の記録媒体にダビングするダビング装置であって、前記記録媒体に記録した番組を選択し、前記別の記録媒体へダビングするよう指示するダビング選択手段と、前記ダビング選択手段にて選択された番組を前記シーンコピー制限情報に従って前記別の記録媒体へダビングするダビング手段と、前記ダビング選択手段にて選択された番組の各シーンにシーンコピー制限情報が設定されているかどうかを判定するコピー制限判定手段と、前記コピー制限判定手段にて前記選択された番組の各シーンにシーンコピー制限情報が設定されていると判定された場合、前記選択された番組の各シーンにシーンコピー制限情報が設定されている旨のメッセージを生成するメッセージ生成手段とを備え、前記生成したメッセージを表示するための信号を出力するように構成したので、ユーザはダビングを実行する前にコピー制限があるシーンがタビングの対象に含まれることをダビング前に認識できるようになるので、ユーザは選択した番組、特にコピー許可回数に制限のあるシーンを含む番組をダビングすべきかどうか、より的確に判断できるようになるため、ユーザの意図に沿ったダビングが実行される。
【００１７】
また、前記コピー制限判定手段は、前記ダビング選択手段により選択された番組を構成するシーンのうちの少なくとも１つのシーンコピー制限情報がコピーできない内容を示すか否かを判断し、前記メッセージ生成手段は、前記コピー制限判定手段により選択された番組を構成するシーンのうちの少なくとも１つのシーンコピー制限情報がコピー禁止または前記シーンのコピー許可回数が０でありコピーできない内容を示すと判定された場合、前記ダビング選択手段により選択された番組を構成するシーンにコピー制限がある旨のメッセージを生成するように構成したので、ユーザは選択した番組、特にコピー許可回数に制限のあるシーンを含む番組をダビングすべきかどうか、より的確に判断できるようになるため、ユーザの意図に沿ったダビングが実行される。
【００１８】
また、前記番組に対応するシーン情報は、前記番組を構成する各シーンのシーン開始位置情報とシーン終了位置情報を更に含み、前記記録媒体に記録した番組を構成する各シーンのサムネイル画像を前記各シーンのシーン開始位置情報とシーン終了位置情報によって決められる映像の中から生成するサムネイル生成手段を更に備え、前記サムネイル生成手段によって生成した前記各シーンのサムネイル画像と前記各シーンのシーンコピー制限情報とを表示するための信号を出力するように構成したので、ユーザはダビングを実行する前にコピーできないシーンをダビング前に認識できるようになるので、ユーザは選択した番組をダビングすべきかどうか、より的確に判断できるようになる。
【００１９】
また、前記記録媒体に記録された番組に含まれる映像を用いてサムネイル画像を生成するサムネイル生成手段を備え、前記サムネイル生成手段で生成した前記記録媒体に記録された番組のサムネイル画像を表示するための信号を出力するように構成したことを特徴とするので、ユーザはダビングを実行する前に記録媒体に記録された番組に関する情報を認識できるようになるので、ダビングしたい番組を簡単に知ることが可能となる。
【００２０】
また、前記ダビング選択手段により選択される前の番組のシーン情報において、前記番組を構成するシーンのシーンコピー制限情報が１回以上のコピー許可回数を示すものである場合、前記ダビング選択手段にて前記番組を選択し、前記ダビング手段により前記別の記録媒体へダビングがなされると、前記記録媒体に記録された番組を構成するシーンのシーンコピー制限情報のコピー許可回数を１減じた値に書き換えるよう構成したので、コピー許可回数の制限を遵守しつつ、ダビングを行うことが可能となる。
【００２１】
本発明の録画再生装置は、記録媒体に記録した番組であって、各シーンのコピー制限を示すシーンコピー制限情報を有するシーン情報が設定された番組を前記シーンコピー制限情報に従って別の記録媒体にダビングする録画再生装置であって、前記各シーンのシーン開始位置情報とシーン終了位置情報とシーンコピー制限情報を有するシーン情報と前記番組を構成する各シーンを放送波から取り出して前記記録媒体に録画する録画手段と、前記記録媒体に記録した番組を選択し、前記別の記録媒体へダビングするよう指示するダビング選択手段と、前記ダビング選択手段にて選択された番組を前記シーンコピー制限情報に従って前記別の記録媒体へダビングするダビング手段と、前記ダビング選択手段にて選択された番組の各シーンにシーンコピー制限情報が設定されているかどうかを判定するコピー制限判定手段と、前記コピー制限判定手段にて前記選択された番組の各シーンにシーンコピー制限情報が設定されていると判定された場合、前記選択された番組の各シーンにシーンコピー制限情報が設定されている旨のメッセージを生成するメッセージ生成手段とを備え、前記生成したメッセージを表示するための信号を出力するように構成したので、ユーザはダビングを実行する前にコピー制限があるシーンがダビングの対象に含まれることをダビング前に認識できるようになるので、ユーザは選択した番組、特にコピー許可回数に制限のあるシーンを含む番組をダビングすべきかどうか、より的確に判断できるようになるため、ユーザの意図に沿ったダビングが実行される。
【００２２】
本発明のダビング方法は、記録媒体に記録した番組であって、各シーンのコピー制限を示すシーンコピー制限情報を有するシーン情報が設定された番組を前記シーンコピー制限情報に従って別の記録媒体にダビングするダビング方法であって、前記記録媒体に記録した番組を選択し、前記別の記録媒体へダビングするよう指示するダビング選択ステップと、前記ダビング選択ステップにて選択された番組を前記シーンコピー制限情報に従って前記別の記録媒体へダビングするダビングステップと、前記ダビング選択ステップにて選択された番組の各シーンにシーンコピー制限情報が設定されているかどうかを判定するコピー制限判定ステップと、前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、前記生成したメッセージを表示するための信号を出力するステップを備えるので、ユーザはダビングを実行する前にコピー制限があるシーンがダビングの対象に含まれることをダビング前に認識できるようになるので、ユーザは選択した番組、特にコピー許可回数に制限のあるシーンを含む番組をダビングすべきかどうか、より的確に判断できるようになるため、ユーザの意図に沿ったダビングが実行される。
【００２３】
本発明のダビングプログラムは、記録媒体に記録した番組であって、各シーンのコピー制限を示すシーンコピー制限情報を有するシーン情報が設定された番組を前記シーンコピー制限情報に従って別の記録媒体にダビングするダビングプログラムであって、前記記録媒体に記録した番組を選択し、前記別の記録媒体へダビングするよう指示するダビング選択ステップと、前記ダビング選択ステップにて選択された番組を前記シーンコピー制限情報に従って前記別の記録媒体へダビングするダビングステップと、前記ダビング選択ステップにて選択された番組の各シーンにシーンコピー制限情報が設定されているかどうかを判定するコピー制限判定ステップと、前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、前記生成したメッセージを表示するための信号を出力するステップをコンピュータに実行させるので、ユーザはダビングを実行する前にコピー制限があるシーンがダビングの対象に含まれることをダビング前に認識できるようになるので、ユーザは選択した番組、特にコピー許可回数に制限のあるシーンを含む番組をダビングすべきかどうか、より的確に判断できるようになるため、ユーザの意図に沿ったダビングが実行される。
【００２４】
本発明のコンピュータ読み取り可能な記録媒体は、記録媒体に記録した番組であって、各シーンのコピー制限を示すシーンコピー制限情報を有するシーン情報が設定された番組を前記シーンコピー制限情報に従って別の記録媒体にダビングするダビングプログラムを格納するコンピュータ読み取り可能な記録媒体であって、前記ダビングプログラムは、前記記録媒体に記録した番組を選択し、前記別の記録媒体へダビングするよう指示するダビング選択ステップと、前記ダビング選択ステップにて選択された番組を前記シーンコピー制限情報に従って前記別の記録媒体へダビングするダビングステップと、前記ダビング選択ステップにて選択された番組の各シーンにシーンコピー制限情報が設定されているかどうかを判定するコピー制限判定ステップと、前記コピー制限判定ステップにて前記選択された番組の各シーンにシーンコピー制限情報が設定されていると判定された場合、前記選択された番組の各シーンにシーンコピー制限情報が設定されている旨のメッセージを生成するメッセージ生成ステップと、前記生成したメッセージを表示するための信号を出力するステップを備えることを特徴とするダビングプログラムを格納するので、ユーザはダビングを実行する前にコピー制限があるシーンがダビングの対象に含まれることをダビング前に認識できるようになるので、ユーザは選択した番組、特にコピー許可回数に制限のあるシーンを含む番組をダビングすべきかどうか、より的確に判断できるようになるため、ユーザの意図に沿ったダビングが実行される。
【発明を実施するための最良の形態】
【００２５】
（第１の実施形態）
以下本発明の実施の形態について、図面を参照しながら説明する。
１．装置の構成
図１は本実施の形態の録画再生装置の構成を示す機能ブロック図である。
図１において、録画再生装置は、ユーザからの入力を受け付ける入力手段１０、後述する第１の記録媒体５００（または第２の記録媒体６００）に録画された番組を第２の記録媒体６００（または第１の記録媒体５００）へダビングを行うダビング手段１００、放送された番組を第１の記録媒体５００（または第２の記録媒体６００）へ録画する録画手段２００、第１の記録媒体５００（または第２の記録媒体６００）に記録された番組を再生する再生手段３００、第１の記録媒体５００、第２の記録媒体６００を備える。
【００２６】
本実施の形態では第１の記録媒体として録画再生装置に内蔵のハードディスク（ＨＤ）を例に説明をする。また第２の記録媒体６００として可搬性の高い光ディスク、半導体メモリなどの記録媒体を例に説明をする。この場合、第２の記録媒体を駆動するための駆動手段（例えばドライブ装置：図示せず）が録画再生装置に含まれる必要がある。
また本実施の形態では第１の記録媒体５００に録画された番組を第２の記録媒体６００へダビングする例について説明をするが、この逆、つまり第２の記録媒体６００に記録された番組を第１の記録媒体５００へダビングすることも可能である。
また、本実施の形態では、放送波を介して番組Ａを第１の記録媒体５００へ録画したものを例に説明をするが、ネットワーク配信などにより番組Ａを第１の記録媒体５００へ記録しても良い。
また、放送された番組、第１の記録媒体５００（または第２の記録媒体６００）に記録された番組を表示する表示装置４００は録画再生装置と別体であっても一体であっても良い。
【００２７】
図１に示す装置の動作を説明する。録画手段２００は放送波を経由して送られる番組を入力手段１０より入力されるユーザからの録画命令に従って録画する。放送波に含まれる番組には番組内容そのものに加え、番組を構成する各シーン（または場面）に対応するシーンコピー制限情報を有するシーン情報が含まれておりこのシーン情報も番組の録画に併せて第１の記録媒体５００に記録する。
ダビング手段１００は一旦第１の記録媒体５００に記録された番組（ここでは番組Ａとする）をシーンコピー制限情報に従って第２の記録媒体へコピー（またはダビング）する。
このとき例えば番組Ａを構成するあるシーンにおけるシーンコピー制限情報がコピー禁止またはコピー許可回数が０である場合には該当するシーンは第２の記録媒体６００へコピーがされない。
【００２８】
つまり第２の記録媒体６００へコピーすることのできるシーンがコピーされる。従って番組Ａを第２の記録媒体６００へコピーした結果、生成される番組Ａ１は番組Ａを構成する全シーンについてのシーンコピー制限情報がコピー可能である情報であれば番組Ａの内容と同一の内容となり、そうでなければ番組Ａを構成するシーンのうち、コピー可能なシーンのみとなる。また番組Ａ１がコピーされる際に番組Ａ１に相当するシーン情報も記録される。コピー前の番組Ａのコピー元のシーンのシーンコピー制限情報がコピー許可回数を示す情報である場合には、コピー先の番組Ａ１の該当するシーンのシーンコピー制限情報は更なるコピーができないことを示す情報（例えばコピー禁止またはコピー許可回数が０）となるように記録すればよい。このようにすることで第２の記録媒体６００に記録された番組Ａ１を用いてコピーすることを抑止することが可能となる。
【００２９】
次に、入力手段１０とダビング手段１００のより具体的な構成について、図２を用いて説明をする。
ダビング手段１００は、タイトルコピー制限情報抽出手段１０２と、タイトルコピー制限判定手段１０３と、シーンコピー制限情報抽出手段１０４と、シーンコピー制限判定手段１０５と、タイトルダビング手段１０６と、シーンサムネイル生成・表示手段１０７と、コピー開始判定手段１０８と、シーンダビング手段１０９とを備えている。
タイトル操作選択手段１０１は例えば、録画再生装置を制御するリモコン、録画再生装置に設けた入力ボタンなどの入力手段１０の一例である。
また、タイトルコピー制限情報抽出手段１０２と、タイトルコピー制限判定手段１０３と、シーンコピー制限情報抽出手段１０４と、シーンコピー制限判定手段１０５と、タイトルダビング手段１０６と、シーンサムネイル生成・表示手段１０７と、コピー開始判定手段１０８と、シーンダビング手段１０９はそれぞれプログラムデータによって構成され録画再生装置内のＣＰＵなどの演算装置によって、プログラムデータを実行するように構成しても良いし、上述の手段を実行する信号処理回路を用いて構成しても良いし、上述の手段を実行するＬＳＩなどの集積回路を用いて実現しても良い。
またプログラムデータは録画再生装置内のメモリなどに予め記録されていても良いし、読み取り可能な記録媒体に格納されており、記録媒体に記録された内容を読み取って実行する構成であっても良い。
【００３０】
本実施の形態の録画再生装置に関する動作を説明する。
ユーザが録画されたコンテンツを格納する第１の記録媒体５００から記録媒体内のコンテンツを識別できる情報を表示装置４００の表示画面に表示する。
例えば、ユーザの指示により、タイトル一覧表示などの指令に相当するリモコン信号を録画再生装置が受け取ると、コンテンツ管理手段（図示せず）は、録画した番組（コンテンツ）を格納する第１の記録媒体５００から取得したコンテンツ情報を元に各タイトルのサムネイルを生成し、表示する指令を含む信号を表示装置４００へ送る。
表示装置４００はこの信号を受け取り、例えば図１１に示すタイトル一覧を表示装置の表示画面に表示する。図１１に示す表示画面には番組Ａ〜番組Ｄが第１の記録媒体に含まれていることを示すものである。図１１において番組Ａのサムネイル画像が太枠で囲まれているが、これはタイトル操作選択手段１０１による選択対象となっていることを示す。タイトル操作選択手段１０１は入力キー（例えば矢印キー、数字キーなど）を操作することにより太枠で囲まれる対象を番組Ｂ、番組Ｃまたは番組Ｄに変更することが可能である。
【００３１】
ユーザがタイトル操作選択手段１０１を操作しタイトル一覧の中から所定のタイトルを選択した後、選択した所定の番組（またはタイトル）についてダビング処理（つまりコピー処理）の実行を指示した場合に、タイトル操作選択手段１０１は、これに相当する信号をタイトルコピー制限情報抽出手段１０２へ送出する。このように、タイトル操作選択手段１０１は、記録媒体５００に記録した番組を選択し、別の記録媒体６００へダビングするよう指示するダビング選択手段となっている。
タイトルコピー制限情報抽出手段１０２はタイトル操作選択手段１０１より送出された選択タイトル情報を受け取ると、選択したタイトル（番組）に関連するタイトルコピー制限情報を抽出する。
ここで、タイトルとは録画開始から終了までのひとつの記録した番組（コンテンツ）、選択タイトル情報とはユーザがダビング処理を選択したタイトル番号のことである。なお、ユーザがタイトル選択の後、再生などのダビング以外の処理を選択した場合、タイトル操作選択手段１０１は再生手段３００へ選択タイトル情報を通知し、再生手段は選択したタイトルに対応する番組を再生するが、ここではこれら処理の説明を省略する。
【００３２】
さて、上述のとおりタイトルコピー制限情報抽出手段１０２はタイトル操作選択手段１０１より送出された選択タイトル情報を受け取ると、選択タイトル情報を元に当該タイトルのタイトルコピー制限情報を抽出し、選択タイトル情報と一緒にタイトルコピー制限判定手段１０３へ送出する。ここで、シーンとはコピー制限情報が同一である連続区間のこと、タイトルコピー制限情報とはタイトル内に存在するシーンの全てがコピー禁止であるかどうかを示すフラグである。
タイトルコピー制限判定手段１０３は、タイトルコピー制限情報の判定を行い、タイトル中の全シーンコピー禁止でない場合は、選択タイトル情報をシーンコピー制限情報抽出手段１０４へ提供する。また、全シーンがコピー禁止である場合、ダビングを実行することなく、処理を終了する。
【００３３】
シーンコピー制限情報抽出手段１０４は、選択タイトル情報を元に当該タイトルに含まれる各シーンのシーンコピー制限情報を抽出する。シーンコピー制限情報とは番組を構成するシーンのそれぞれについて、コピー制御の内容（例えばコピー許可回数、コピーフリー、コピー禁止）を示す情報（またはフラグ）である。このシーンコピー制限情報を元にコピー制限混在情報を生成し、選択タイトル情報とともにシーンコピー制限判定手段１０５へ提供する。
シーンコピー制限判定手段１０５は、受け取ったシーンコピー制限混在情報を判定し、コピー制限情報が混在している場合（つまり番組を構成する少なくとも１つのシーンのシーンコピー制限情報にコピー禁止またはコピー許可回数が０である内容を含み、他のシーンのシーンコピー制限情報にコピー許可回数が１以上またはコピーフリーを示す内容を含む場合）はダビングの対象となる番組を構成するシーンにコピーできないシーンを含むことを示すメッセージの表示を行う信号を表示装置４００へ送る。このように、シーンコピー制限判定手段１０５は、タイトル操作選択手段１０１にて選択された番組の各シーンにシーンコピー制限情報が設定されているかどうかを判定するコピー制限判定手段となっている。また、シーンコピー制限判定手段１０５は、コピー制限判定手段にて選択された番組の各シーンにシーンコピー制限情報が設定されていると判定された場合、選択された番組の各シーンにシーンコピー制限情報が設定されている旨のメッセージを生成するメッセージ生成手段となっている。
【００３４】
これを受けた表示装置４００は例えば図１３に示すようなメッセージウィンドウを表示画面に表示する。図１３に示すメッセージウィンドウには「コピー実行」、「キャンセル」の選択項目が併せて表示されており、ユーザは例えばリモコンに設けたキーを操作することにより、上記項目のいずれかを選択実行できるように構成されている。
シーンコピー制限判定手段１０５は、例えばユーザがリモコンを操作し「コピー実行」を選択した場合、シーンサムネイル生成・表示手段１０７へ選択タイトル情報を通知する。
また、ユーザがリモコンを操作し図１３に示す「キャンセル」を選択した場合、ダビングを行うことなく処理を終了する。
タイトルダビング手段１０６は、選択タイトル情報をもとに当該タイトル情報を取得し、第２の記録媒体６００へコピーし番組Ａ１を構成するとともに、コピーした番組Ａ１のシーン情報を作成し処理を終了する。
シーンサムネイル生成・表示手段１０７は、選択タイトル情報をもとに当該タイトル情報を取得し、番組を構成する各シーンのサムネイルを生成する。また、生成したサムネイルとともにシーン毎に与えられたシーンコピー制限情報の表示を行う信号を表示装置４００へ出力する。
【００３５】
これを受けた表示装置４００は例えば図１２に示すように、生成したサムネイルとともにシーン毎に与えられたシーンコピー制限情報を表示画面へ表示する。図１２に示すようにシーンコピー制限情報とともに「コピー実行」、「キャンセル」の選択項目が併せて表示されており、ユーザは例えばリモコンに設けたキーを操作することにより、上記項目のいずれかを選択実行できるように構成されている。
コピー開始判定手段１０８は、例えばユーザがリモコンを操作し図１２に示す「コピー実行」を選択した場合はシーンダビング手段１０９に選択タイトル情報を伝える。また、「キャンセル」を選択した場合は、ダビングを実行することなく処理を終了する。
シーンダビング手段１０９は、選択タイトル情報をもとに当該タイトル情報を取得し、コピー可能なシーンのみを第２の記録媒体６００へコピーし番組Ａ１を構成するとともに、コピーした番組Ａ１のシーン情報を作成することにより、新規タイトルを作成する。新規タイトル作成が終了した後、処理を終了する。
【００３６】
なおこの例では、図１２、図１３の画面を表示する処理はいずれか一方の画面の画面を表示する処理を行えば、少なくともユーザはタビングしようとする番組にコピーできないシーンを含むことが認識できるので、いずれか一方の画面を表示する処理は必ずしも行わなくても良い。
【００３７】
２．装置の動作
次に、以上の様に構成される録画再生装置の動作を説明する。
図３は、本実施の形態の録画再生装置におけるコンテンツをダビングする動作を説明するための処理手順を示すフローチャートである。図３において、タイトル操作選択手段１０１はユーザによる操作によりタイトル選択の後、ダビング処理選択を行った場合に、選択タイトル情報をタイトルコピー制限情報抽出手段１０２に送出する（Ｓ２０１）。
タイトルコピー制限情報抽出手段１０２は選択タイトル情報を元にタイトルコピー制限情報を抽出し、タイトルコピー制限判定手段１０３は、タイトルコピー制限情報がｆａｌｓｅと判定した場合（つまりタイトルを構成する各シーンについてコピー制限に関する情報があり、少なくともいずれか１つのシーンのコピー制限に関する情報がコピー許可である場合）、選択タイトル情報をシーンコピー制限情報抽出手段１０４に通知する（Ｓ２０２Ｎ）。また、このとき、タイトルを構成する各シーンについてコピー制限に関する情報がある旨のメッセージを表示するための指令を表示するように構成すれば、ユーザはダビング前にダビングの対象とした番組にコピー制限のあるシーンが含まれることを知ることができるので、ダビングするかどうかを的確に判断できるようになる。
一方、タイトルコピー制限情報がｔｒｕｅと判定した場合（つまりタイトルを構成する全てのシーンをまとめてコピー禁止とした場合、またはタイトルを構成する各シーンについてコピー制限に関する情報があり、全てのシーンのコピー制限に関する情報がコピー禁止である場合）は処理を終了する（Ｓ２０２Ｙ）。
【００３８】
シーンコピー制限情報抽出手段１０４は、選択されたタイトルの各シーンのコピー可能残回数を抽出し、コピー制限混在情報を生成し、表示する（Ｓ２０３）。
シーンコピー制限判定手段１０５はコピー制限混在情報を表示する必要がない場合（つまりタイトルを構成する全てのシーンのコピーが可能である場合）に、タイトルダビング手段１０６に選択タイトル情報を通知する（Ｓ２０４におけるＮ）。そして、タイトルダビング手段１０６が選択されたタイトルのコピーを実施し、処理を終了する（Ｓ２０５）。
一方、コピー制限混在情報を表示した後、ユーザからダビングの指示があった場合に、シーンサムネイル生成・表示手段１０７に選択タイトル情報を通知する（Ｓ２０４におけるＹ）。シーンサムネイル生成・表示手段１０７は、選択タイトル情報を元にシーン毎のサムネイルの生成し、シーンコピー制限情報とともに表示を行う（Ｓ２０６）。
コピー開始判定手段１０８は、ユーザの操作によるコピー実行選択、ダビングキャンセルの入力を受け付ける（Ｓ２０７）。ユーザによる操作によりコピー実行が選択された場合に、シーンダビング手段１０９に選択タイトル情報を通知する（Ｓ２０８におけるＹ）。ダビングキャンセルが選択された場合は、処理を終了する（Ｓ２０８におけるＮ）。
シーンダビング手段１０９は、選択タイトル情報を元にコピー可能なシーンをコピーし、新規タイトルを生成した後、処理を終了する（Ｓ２０９）。
【００３９】
なお、図３のフローチャートではＳ２０４にてＹｅｓである場合にのみ、Ｓ２０６の処理（つまり、シーンサムネイル生成・表示手段１０７が選択タイトル情報を元にシーン毎のサムネイルを生成し、シーンコピー制限情報とともに表示を行う処理）を実行するように構成したが、Ｓ２０４にてＮｏである場合にも、Ｓ２０６の処理を実行するように構成しても良い。このようにすれば現在の各シーンのコピー制限情報（特にコピー許可回数）をダビング実行前に知ることができる。ダビングの対象となる番組に含まれるシーンのコピー許可回数が０に近づいてきたとき、ダビングの実行に対するより慎重な判断ができるようになるので有効である。
【００４０】
ここで、図４はステップ２０３においてシーンコピー制限情報抽出手段１０４がコピー制限混在情報を生成し出力する処理手順を示すフローチャートである。図４においてシーンコピー制限情報抽出手段１０４は選択された番組に含まれるシーンのうち、最初のシーン（この例では最初のシーンをシーン１とする）を処理対象として設定する（Ｓ３００）。次に設定された処理対象のシーンのシーンコピー制限情報を取得する（Ｓ３０１）。次に、設定された処理対象のシーンのコピー残回数が０またはコピー禁止かどうかを判断する（Ｓ３０２）。設定された処理対象のシーンのコピー残回数が０またはコピー禁止の場合（Ｓ３０２Ｙ）、コピー制限混在情報を出力する必要がありと判断し（Ｓ３０３）、コピー制限混在情報を表示する指令を表示装置へ送った後、処理を終了する。設定された処理対象のシーンのコピー残回数が０でない場合（Ｓ３０２Ｎ）、タイトル内の全シーンの判定を終了しているかどうかを判定する。番組内の全シーンの判定をしていない場合（Ｓ３０４におけるＮ）、処理対象とするシーンを今回選択したシーンの次シーンに設定し（Ｓ３０５）ステップ３０１に戻る。
一方、Ｓ３０４にて全シーンの判定を終了したと判定した場合（Ｓ３０４におけるＹ）、コピー制限混在情報を出力する必要が無いと判定し（Ｓ３０６）、処理を終了する。
このようにすることにより、タビングの対象となる番組にコピーできないシーンが含まれるかどうかを判断することができる。
【００４１】
また図３においてはＳ３０２において、設定された処理対象のシーンのコピー残回数が０またはコピー禁止かどうかの判定に応じてコピー制限混在情報を出力するように構成をしていたが、これに限定をされる必要はなく、Ｓ３０２における判定後、コピー制限混在情報を出力するかどうかを制御するためのフラグ情報（例えばＳ３０２でＹｅｓの場合にはフラグ情報をｔｒｕｅに設定し、Ｓ３０２でＮｏの場合にはフラグ情報をｆａｌｓｅに設定する）を対象となるコンテンツに関連付けて記録するようにし、コピー制限混在情報を表示する場合、このフラグ情報に従って表示を制御するように構成しても良い。
【００４２】
また、図５はステップ２０６においてシーンのサムネイルを生成し、シーンコピー制限情報とともに表示する処理手順を示すフローチャートである。図５において、シーンサムネイル生成・表示手段１０７はダビングを選択したタイトルのＡＶ情報を取得する（Ｓ４０１）。次に選択されたタイトルに含まれるシーンのうち、最初のシーン（この例では最初のシーンをシーン１とする）を処理対象として設定する（Ｓ４０２）。次に選択されたシーンに対応するシーン開始位置情報を取得する（Ｓ４０３）。次に、取得したシーンに含まれる映像からサムネイル画像を生成する。ここでは、取得したシーン開始位置情報に格納された時刻におけるシーンの画像をサムネイルとして作成するものである（Ｓ４０４）。次にタイトルに含まれる全てのシーンについてサムネイルが作成されたかどうかを判定する（Ｓ４０５）。
全てのシーンのサムネイル生成処理が終了していない場合（Ｓ４０５におけるN）、処理対象とするシーンを今回選択したシーンの次のシーンに設定し（Ｓ４０６）、ステップ４０３に戻る。
【００４３】
一方、全シーンのサムネイル生成処理が終了した場合（Ｓ４０５におけるＹ）、選択されたタイトルに含まれるシーンのうち、最初のシーン（この例では最初のシーンをシーン１とする）を処理対象として設定する（Ｓ４０７）。
次に設定したシーンに対応するシーンコピー制限情報を取得する（Ｓ４０８）。次に上述の処理にて作成したシーンのサムネイルと取得したシーンコピー制限情報を表示装置の表示画面へ表示する指示を行う（Ｓ４０９）。
次に全てのシーンについて、対応するサムネイルとシーンコピー制限情報の表示の指示が完了したかどうかを判定する（Ｓ４１０）。
全てのシーンについて、対応するサムネイルとシーンコピー制限情報の表示の指示が完了していない場合、処理対象とするシーンを今回選択したシーンの次のシーンに設定し（Ｓ４１１）、ステップ４０８に戻る。
また、全てのシーンについて、対応するサムネイルとシーンコピー制限情報の表示の指示が完了している場合、処理を終了する。
このようにすることにより、各シーンに対応するサムネイルとシーンコピー制限情報とを表示画面に表示することができるようになる。この表示画面の一例が図１２に示すものである。
【００４４】
また、図６はステップ２０９においてシーンダビング手段１０９が選択されたタイトルについてダビング処理を行い、別の記録媒体へコピーする処理手順を示すフローチャートである。図６において、シーンダビング手段１０９はタイトルに含まれるシーンのうち、最初のシーン（この例では最初のシーンをシーン１とする）を処理対象として設定する（Ｓ５００）。
次に、シーンダビング手段１０９は設定されたシーンのコピー制限情報を取得する（Ｓ５０１）。設定されたシーンのコピー残回数が０またはコピー禁止かどうかを判定する（Ｓ５０２）。設定されたシーンのコピー残回数が０またはコピー禁止である場合（Ｓ５０２におけるＹ）、ステップ５０６へ進む。コピー残回数が０でもなく、コピー禁止でもない場合（Ｓ５０２におけるＮ）、設定したシーンの開始位置情報取得（Ｓ５０３）、シーンの終了位置情報取得（Ｓ５０４）を行い、ＡＶ情報における上述の位置情報にて定義されるシーンを別の記録媒体へコピーする（Ｓ５０５）。
次に全てのシーンについてコピーが終了したかどうかを判定する（Ｓ５０６）。全シーンの判定を終了していない場合（Ｓ５０６におけるＮ）、処理対象とするシーンを今回選択したシーンの次のシーンに設定し（Ｓ５０７）、ステップ５０１に戻る。
【００４５】
このように構成することにより、番組内に異なるコピー制限情報が設定されたシーンそれぞれについてシーンコピー制限情報に従ったダビングを行うことが可能となる。またダビングを選択した番組のシーン情報については、記録元のタイトルについては、図９（ａ）に示すように、コピーが実際に行われたものについて、コピー回数が設定されたシーンコピー制限情報についてはそれぞれ１減じたものに設定する（または書き換える）。
また記録先のタイトル情報におけるシーン情報については図９（ｂ）に示すように、記録元のシーンにおけるシーンコピー制限情報がコピー回数を設定しているものについてはこの情報を「禁止」に設定し、コピーフリーであるものについては「フリー」に設定する。
このように構成することにより記録元の記録媒体からは決められた回数分コピーが可能となり、記録先の記録媒体からは更なるコピーを抑制することが可能となる。
記録元のシーン情報について各シーンに対応するシーンコピー制限情報を変更するタイミング、記録先の記録媒体へシーン情報を記録するタイミングは各シーンについてのコピーが完了する毎に行っても良いし、全てのシーンについてのコピーが完了した後に行っても良い。
【００４６】
そして、図７はシーン毎にコピー制限情報が異なる番組の具体的な一例を示す図である。図７において番組Ａは、司会者が話すシーン（以後シーン１と称す）、歌手がインタビューを受けるシーン（以後シーン２と称す）、歌を歌うシーン（以後シーン３と称す）、ＣＭに対応するシーン（以後シーン４と称す）、司会者が話すシーン（以後シーン５と称す）、映像が流れるシーン（以後シーン６と称す）を有するもとする。
また、タイトル情報には番組Ａに含まれるシーンのそれぞれについてコピー制限を示す情報であるシーンコピー制限情報が与えられており、番組Ａを他の記録媒体へダビングしたとき、このシーンコピー制限情報が必要に応じて書き換えられるように構成している。
【００４７】
図８は、図７に示す番組Ａを記録媒体に録画した場合のタイトル情報の具体的な一例を示す図である。
タイトル情報７０１は、タイトル全体の情報を示すものである。タイトル情報７０１は、例えば番組内容（タイトルの本体）であるＡＶ情報７０２、管理情報７０３（例えばチャプターやプレイリストのマーキング情報、ＡＶ情報のメモリ番地のテーブル、ＡＶ情報のサイズと時間をリンクさせるタイムテーブルなど）及びタイトルコピー制限情報７０４を保持する。ここで、タイトルコピー制限情報とは、当該タイトルの全シーンがコピー禁止であれば、「ｔｒｕｅ」、それ以外は「ｆａｌｓｅ」を保持するものであり、タイトルに含まれる全シーンがコピー禁止であるかどうかを判定するためのフラグである。また、タイトル情報７０１はシーン毎の情報としてシーン開始位置情報７０６、シーン終了位置情報７０７、シーンコピー制限情報７０８を保持する。シーンコピー制限情報は該当するシーンについて何回コピーが許可されているか、コピーが禁止されているか、またはコピーが無制限に許可されているか（つまりコピーフリー）を設定する。
【００４８】
図１１に示すタイトル一覧を表示し、ユーザがタイトル一覧の中の番組Ａをダビング対照として選択したときの動作を説明する。このとき番組Ａが図８に示すタイトル情報を有するものであるとする。
このダビングする動作を図３に示すフローチャートに従って説明する。まずＳ２０１にてタイトルコピー制限情報を取得する。図８に示すようにタイトルコピー制限情報は「ｆａｌｓｅ」が設定されているので、Ｓ２０２にて「Ｎｏ」と判断され、Ｓ２０３に移る。Ｓ２０３にて、シーン６について対応するシーンコピー制限情報がコピー禁止に設定されているので、コピー制限混在情報を生成する。図１３はコピー制限混在情報の一例を説明するための図である。図１３に示すように図１１に示すタイトル一覧の画面の上に選択した番組にはダビングできないシーンが存在する旨の内容を示す画面を重ねて表示している表示画面を一例に説明するがこれに限定される必要はなく、図１１に示す画面をクリアして、上述の内容の画面を表示してもよい。
次に、図１３に示す画面を確認した後、ユーザがダビングを指示すると、Ｓ２０４でシーン情報Ａ７０５における各シーンの少なくともいずれか１つについて、コピー禁止を示すものかどうかを調べる。この例ではシーン６のコピー制限情報がコピー禁止を示す「禁止」が設定されているため、Ｓ２０４の判断において「Ｙｅｓ」と判断され、Ｓ２０６に進む。Ｓ２０６において各シーンのサムネイルを生成するとともに、各シーンのコピー制限情報を読み出してこれとともに出力する。この出力した表示画面の一例が図１２である。
【００４９】
この図１２ではシーン１が「５回」、シーン２が「３回」、シーン３が「２回」、シーン５が「５回」それぞれコピーが可能であること、シーン４がコピーフリーを示す「フリー」、シーン６がコピー禁止を示す「禁止」であることを示す情報が対応するシーンのサムネイルとともに表示画面に出力される。このようにそれぞれのシーンのサムネイルとともに表示するように構成すると利用者が番組中のどの内容についてコピー制限がかかっているのかを容易に理解できるようになる。
表示画面に出力された情報を確認し、ユーザが番組Ａのコピーの実行を指示すると、シーンのダビングの実行が開始される。
【００５０】
ダビングの実行終了時において、録画元の記録媒体には、図９（ａ）に示すようにシーン情報Ａにおいて、シーン１、シーン２、シーン３、シーン５のコピー許可回数がそれぞれ図８に示すものから１減じられた値が設定されるようになる。
またシーン６についてはコピーが禁止されているので録画先の記録媒体には記録がされない。
また録画先の記録媒体には録画先のデータを用いてコピーが実行されないようにするために図９（ｂ）に示すようにシーン１〜シーン３、シーン５のシーンコピー制限情報に「禁止」が設定されるようにする。このようにすれば録画先の番組Ａのデータを用いて、ダビングできるのはコピーフリーのシーン４のみだけとすることができる。
またはシーン４について、記録先のシーン４のコピー制限情報を「禁止」に設定し、タイトルコピー制限情報を「ｔｒｕｅ」に変更するようにすれば、録画先の記録媒体からの更なるダビングを完全に抑止することが可能となる。
【産業上の利用可能性】
【００５１】
本発明は、番組を構成する各シーンにコピーを制限する情報が与えられた場合に、このコピーを制限する情報に従ってダビングを行うダビング装置、このダビング装置に相当する機能を有する録画再生装置（ＤＶＤ、ＨＤＤレコーダ）に有用である。
【図面の簡単な説明】
【００５２】
【図１】本実施形態に係る録画再生装置の構成を示すブロック図
【図２】本実施形態に係る録画再生装置の構成を示すブロック図
【図３】本実施形態に係る録画再生装置の処理手順を示すフローチャート
【図４】本実施形態に係る録画再生装置の処理手順を示すフローチャート
【図５】本実施形態に係る録画再生装置の処理手順を示すフローチャート
【図６】本実施形態に係る録画再生装置の処理手順を示すフローチャート
【図７】本実施形態において、放送される番組の構成の一例を示す図
【図８】本実施形態において、放送される番組を録画したときに記録される情報の一例を示す図
【図９】本実施形態において、録画した番組をコピーしたとき、（ａ）コピー元の記録媒体、（ｂ）コピー先の記録媒体に記録される情報の一例を示す図
【図１０】本実施形態において、録画された番組のタイトルコピー制限情報がｔｒｕｅであるときの情報の一例を示す模式図
【図１１】本実施形態において、記録媒体に記録された番組のタイトル一覧を表示したとき一例を示す図
【図１２】本実施形態において、コピーの対象となる番組にコピー禁止の情報が含まれていることを示す表示画面の一例を示す模式図
【図１３】本実施形態において、コピーの対象となる番組にコピー禁止の情報が含まれている場合、ユーザへコピーを実行するかどうかを確認する表示画面の一例を示す図
【符号の説明】
【００５３】
１０    入力手段
１００    ダビング手段
２００    録画手段
３００    再生手段
４００    表示装置
５００    第１の記録媒体
６００    第２の記録媒体
１０１    タイトル操作選択手段
１０２    タイトルコピー制限情報抽出手段
１０３    タイトルコピー制限判定手段
１０４    シーンコピー制限情報抽出手段
１０５    シーンコピー制限判定手段
１０６    タイトルダビング手段
１０７    シーンサムネイル生成・表示手段
１０８    コピー開始判定手段
１０９    シーンダビング手段
７０１    タイトル情報
７０２    ＡＶ情報
７０３    管理情報
７０４    タイトルコピー制限情報
７０５    シーン情報
７０６    シーン開始位置
７０７    シーン終了位置
７０８    シーンコピー制限情報
８０１ａ  タイトル情報
８０１ｂ  タイトル情報
８０２ａ  シーン情報
８０２ｂ  シーン情報
８０３ａ  シーンコピー制限情報
８０３ｂ  シーンコピー制限情報
８０４ａ  シーンコピー制限情報
９０１    シーン情報
９０２    シーンコピー制限情報
【図１】
2007213668.tif 000003
【図２】
2007213668.tif 000004
【図３】
2007213668.tif 000005
【図４】
2007213668.tif 000006
【図５】
2007213668.tif 000007
【図６】
2007213668.tif 000008
【図７】
2007213668.tif 000009
【図８】
2007213668.tif 000010
【図９】
2007213668.tif 000011
【図１０】
2007213668.tif 000012
【図１１】
2007213668.tif 000013
【図１２】
2007213668.tif 000014
【図１３】
2007213668.tif 000015